(57)【特許請求の範囲】
【請求項１】
玄関機（１）のカメラ（１２）で撮像された映像信号（Ｓ2）を居室機（２ａ、２ｂ、・・・）の居室機液晶モニタ（２１）で出画し、前記玄関機の玄関機マイク（１３）、玄関機スピーカ（１４）と、前記居室機のハンドセット（２２）の居室機マイク（２２ａ）、居室機レシーバ（２２ｂ）とで通話を行うインターホン装置であって、
前記玄関機は、前記映像信号を出画する玄関機液晶モニタ（１１）を備えたことを特徴とするインターホン装置。
【請求項２】
前記玄関機液晶モニタは、前記玄関機の操作案内等の機能を兼用するものであることを特徴とする請求項１記載のインターホン装置。
【発明の詳細な説明】
【０００１】
【発明の属する技術分野】
本発明はインターホン装置に係わり、特に玄関機に映像の再生機能および選局等の呼出操作の案内機能を付加させたインターホン装置に関する。
【０００２】
【従来の技術】
従来から、この種のインターホン装置として、図２のブロック図に示す構成の集合住宅インターホン装置が提案されている。
同図に示す集合住宅インターホン装置は、集合住宅の玄関（集合玄関）に設置された集合玄関機１０１と、集合住宅の複数の住戸内にそれぞれ設置された居室機１０２ａ、１０２ｂ、・・・と、集合玄関機１０１と各居室機１０２ａ、１０２ｂ、・・・とを接続する伝送路上に設置された制御装置１０３とで構成されている。
【０００３】
集合玄関機１０１には、訪問者により住戸内の居住者を呼び出す呼出（呼出操作）時に押下操作される入力部１１０をなす住戸に予め割り当てられた部屋番号を選局して入力するテンキースイッチ１１０ａ、テンキースイッチ１１０ａにて部屋番号を入力後に押下する呼出ボタン１１０ｂと、上述の選局等の呼出操作を案内するとともに入力された部屋番号を出力表示する玄関機液晶表示部１１１と、呼出操作時の訪問者の映像を撮像するカメラ１１２と、訪問者が呼び出した住戸内の居住者との通話を成立させるために用いる玄関機マイク１１３、玄関機スピーカ１１４とが備えられている。
【０００４】
居室機１０２ａ、１０２ｂ、・・・はそれぞれ同様な構成であり、集合玄関機１０１の訪問者からの呼び出しを報知するための呼出音を鳴動する拡声スピーカ１２０と、集合玄関機１０１のカメラ１１２にて撮像された映像を出画する居室機液晶モニタ１２１と、呼び出された居住者が訪問者との通話を成立させるために用いる居室機マイク１２２ａ、居室機レシーバ１２２ｂからなるハンドセット１２２とが備えられている。
【０００５】
また、集合玄関機１０１と制御装置１０３は伝送路Ｌ101により、制御装置１０３と各居室機１０２ａ、１０２ｂ、・・・は伝送路Ｌ102a、Ｌ102b、・・・によりそれぞれ接続されている。
このような集合住宅インターホン装置において、訪問者が集合玄関に設置された集合玄関機１０１から例えば居室機１０２ａが設置された住戸内の居住者を呼び出すために、集合玄関機１０１の玄関機液晶表示部１１１に出力表示された選局等の呼出操作案内にしたがって、入力部１１０のテンキースイッチ１１０ａを用いて呼び出す住戸に予め割り当てられた部屋番号を入力すると、この部屋番号は玄関機液晶表示部１１１にて出力表示され、これを確認後に呼出ボタン１１０ｂを押下することにより呼出操作が成立し、部屋番号情報が含有された呼出信号Ｓ101が伝送路Ｌ101を介して制御装置１０３に伝送される。制御装置１０３は入力された呼出信号Ｓ101の部屋番号情報を検出して部屋番号に割り当てられた住戸内に設置された居室機１０２ａへの信号伝送路を形成することから、呼出信号Ｓ101は形成された信号伝送路である伝送路Ｌ102aを介して居室機１０２ａに伝送される。
【０００６】
居室機１０２ａに入力された呼出信号Ｓ101は該居室機内で適宜に信号処理（詳述せず）され、拡声スピーカ１２０から集合玄関機１０１の訪問者からの呼び出しを報知する呼出音として鳴動され居室機１０２ａは待受状態から呼出状態に移行される。また、呼出状態の居室機１０２ａからの電源供給により集合玄関機１０１のカメラ１１２が動作を開始して訪問者の映像を撮像する。この映像は映像信号Ｓ102として上述の呼出信号Ｓ101と同様な経路を伝送され居室機１０２ａの居室機液晶モニタ１２１にて出画される。更に、上述の拡声スピーカ１２０にて鳴動された呼出音、居室機液晶モニタ１２１にて出画された訪問者の映像により、呼出操作を行った訪問者の存在を確認した居住者がハンドセット１２２を取り上げ呼出応答すると、伝送路Ｌ102a、制御装置１０３、伝送路Ｌ101を介してハンドセット１２２の居室機マイク１２２ａ、居室機レシーバ１２２ｂと、集合玄関機１０１の玄関機マイク１１３、玄関機スピーカ１１４間の通話路が形成され、この通話路を介して音声信号の送受が可能となり通話が成立する。
【０００７】
【発明が解決しようとする課題】
しかしながら、従来の集合住宅インターホン装置は上述のように構成されているので、呼出操作を行う訪問者は集合玄関機１０１にて自己の映像を確認することができず、例えば訪問者（の被写体）がカメラ１１２が有する所定の撮像画角から外れた場合には、呼び出された住戸内の居住者は拡声スピーカ１２０にて鳴動された呼出音の確認のみで居室機液晶モニタ１２１にて出画された訪問者を正確に判別できないことから、呼出（呼出操作）時における防犯性等の向上が阻害される恐れがあるといった難点があった。
【０００８】
本発明は上述の難点を解消するためになされたもので、訪問者が呼出操作を行う玄関機（集合玄関機）に、カメラにて撮像された映像を出画するとともに選局等の呼出操作を案内する玄関機液晶モニタを設けることにより、訪問者は自己の映像を確認できるとともに呼び出された居住者もより正確な訪問者の映像を確認後に呼出応答できるインターホン装置を提供することを目的とする。
【０００９】
【課題を解決するための手段】
このような目的を達成するため、本発明によるインターホン装置は、玄関機のカメラで撮像された映像信号を居室機の居室機液晶モニタで出画し、玄関機の玄関機マイク、玄関機スピーカと、居室機のハンドセットの居室機マイク、居室機レシーバとで通話を行うインターホン装置であって、玄関機は、映像信号を出画する玄関機液晶モニタを備えたものである。
【００１０】
また、本発明によるインターホン装置の玄関機液晶モニタは、玄関機の操作案内等の機能を兼用するものである。
このようなインターホン装置によれば、訪問者が呼出操作を行う玄関機（集合玄関機）に、カメラにて撮像された映像を出画するとともに選局等の呼出操作を案内する玄関機液晶モニタを設けることにより、訪問者は自己の映像を確認できるとともに呼び出された居住者もより正確な訪問者の映像を確認後に呼出応答できることから、呼出（呼出操作）時における防犯性の向上が図れる。
【００１１】
【発明の実施の形態】
以下、本発明によるインターホン装置を適用した好ましい形態の一実施例について、図面を参照して説明する。
図１は本発明によるインターホン装置の一実施例を集合住宅に適用させた場合の構成を示すブロック図であり、集合住宅の玄関（集合玄関）に設置され、訪問者による選局等の呼出操作機能およびその操作案内機能、訪問者の映像を撮像および出画する映像撮像機能および映像再生機能、訪問者が呼び出した住戸内の居住者との通話を成立させる通話機能をそれぞれ備えた集合玄関機１と、集合住宅の複数の住戸内にそれぞれ設置され、上述の集合玄関機１からの呼出報知機能、集合玄関機１にて撮像された映像を出画する映像再生機能、呼び出された住戸内の居住者が訪問者との通話を成立させる通話機能をそれぞれ備えた居室機２ａ、２ｂ、・・・と、集合玄関機１と居室機２ａ、２ｂ、・・・とを接続する伝送路上に設置され、入出力される諸信号を適宜に信号処理して信号伝送路を形成する制御装置３とで構成されている。
【００１２】
集合玄関機１には、訪問者により住戸内の居住者を呼び出す呼出（呼出操作）時に押下操作される入力部１０をなす住戸に割り当てられた部屋番号を選局して入力するテンキースイッチ１０ａ、テンキースイッチ１０ａにて部屋番号を入力後に押下する呼出ボタン１０ｂと、上述の選局等の呼出操作の案内、入力された部屋番号の出力表示、および後述するカメラ１２にて撮像された訪問者の映像を出画する玄関機液晶モニタ１１と、呼出操作時の訪問者の映像を撮像するカメラ１２と、訪問者が呼び出した住戸内の居住者との通話を成立させるために用いる玄関機マイク１３、玄関機スピーカ１４とが備えられている。
【００１３】
居室機２ａ、２ｂ、・・・はそれぞれ同様な構成であり、集合玄関機１の訪問者からの呼び出しを報知するための呼出音を鳴動する拡声スピーカ２０と、集合玄関機１のカメラ１２にて撮像された映像を出画する居室機液晶モニタ２１と、呼び出された居住者が訪問者との通話を成立させるために用いる居室機マイク２２ａ、居室機レシーバ２２ｂからなるハンドセット２２とが備えられている。
【００１４】
また、集合玄関機１と制御装置３は伝送路Ｌ1により、制御装置３と各居室機２ａ、２ｂ、・・・は伝送路Ｌ2a、Ｌ2b、・・・によりそれぞれ接続されている。
このように構成されたインターホン装置において、以下、その動作について説明する。
訪問者が集合玄関に設置された集合玄関機１から例えば居室機２ａが設置された住戸内の居住者を呼び出すために、集合玄関機１の玄関機液晶モニタ１１に出力表示された選局等の呼出操作案内にしたがって、入力部１０のテンキースイッチ１０ａを用いて呼び出す住戸に予め割り当てられた部屋番号を入力すると、この部屋番号は玄関機液晶モニタ１１にて出力表示され、これを確認後に呼出ボタン１０ｂを押下することにより呼出操作が成立し、部屋番号情報が含有された呼出信号Ｓ1が伝送路Ｌ1を介して制御装置３に伝送される。制御装置３は入力された呼出信号Ｓ1の部屋番号情報を検出して部屋番号に割り当てられた住戸内に設置された居室機２ａへの信号伝送路を形成することから、呼出信号Ｓ1は形成された信号伝送路である伝送路Ｌ2aを介して居室機２ａに伝送される。
【００１５】
居室機２ａに入力された呼出信号Ｓ1は該居室機内で適宜に信号処理（詳述せず）され、拡声スピーカ２０から集合玄関機１の訪問者からの呼び出しを報知する呼出音として鳴動され居室機２ａは待受状態から呼出状態に移行される。また、呼出状態の居室機２ａからの電源供給により集合玄関機１のカメラ１２が動作を開始して訪問者の映像を撮像する。この映像は玄関機液晶モニタ１１にて出画され、呼出操作を行う訪問者は自己の映像を玄関機液晶モニタ１１にて確認でき自己の映像をカメラ１２の所定の撮像画角内に収めることが可能となる。また、集合玄関機１のカメラ１２にて撮像された映像は、映像信号Ｓ2として上述の呼出信号Ｓ1と同様な経路を伝送され居室機２ａの居室機液晶モニタ２１にて出画される。よって、上述の拡声スピーカ２０から放音される呼出音、居室機液晶モニタ２１にて出画された訪問者の正確な映像により、呼出操作を行った訪問者の存在を確認した居住者がハンドセット２２を取り上げ呼出応答すると、伝送路Ｌ2a、制御装置３、伝送路Ｌ1を介してハンドセット２２の居室機マイク２２ａ、居室機レシーバ２２ｂと、集合玄関機１の玄関機マイク１３、玄関機スピーカ１４間の通話路が形成され、この通話路を介して音声信号の送受が可能となり通話が成立する。
【００１６】
尚、上記実施例では本発明によるインターホン装置を集合住宅に適用させた場合について説明したが、これに限定されず、戸建住宅に適用させてもよく上記実施例と同様な効果を奏する。すなわち、戸建住宅に適用させた場合には上述の集合玄関機をテンキースイッチを除いた各部で構成させ、呼出操作については呼出ボタンの押下のみで可能とすることにより呼出操作の簡素化が図れる。また、玄関機と居室機とを制御装置を介在させずに接続することが可能となることから、該装置の施工時における施工コストを低減できる。
【００１７】
【発明の効果】
以上の説明から明らかなように、本発明のインターホン装置によれば、訪問者が呼出操作を行う玄関機（集合玄関機）に、カメラにて撮像された映像を出画するとともに選局等の呼出操作を案内する玄関機液晶モニタを設けることにより、訪問者は自己の映像を確認できるとともに、呼び出された居住者もより正確な訪問者の映像を確認後に呼出応答できることから呼出（呼出操作）時の防犯性の向上が図れ、集合住宅のみならず戸建住宅にも利用可能であることから該装置の汎用性の向上も図れる。
【図面の簡単な説明】
【図１】本発明によるインターホン装置の一実施例を集合住宅に適用させた集合住宅インターホン装置の構成を示すブロック図。
【図２】従来の集合住宅インターホン装置の構成を示すブロック図。
【符号の説明】
１・・・・・玄関機（集合玄関機）
２ａ、２ｂ、・・・ ・・・・・（複数の）居室機
１１・・・・・玄関機液晶モニタ
１２・・・・・カメラ
１３・・・・・玄関機マイク
１４・・・・・玄関機スピーカ
２１・・・・・居室機液晶モニタ
２２・・・・・ハンドセット
２２ａ・・・・・居室機マイク
２２ｂ・・・・・居室機レシーバ
Ｓ2・・・・・映像信号
【図１】
0004148305.tif 000002
【図２】
0004148305.tif 000003